(57)【特許請求の範囲】
【請求項１】
平板状の柔軟性発泡素材、又は柔軟性発泡素材を含む複合材による吸水体と、該吸水体を下面に取り付ける硬質基台と、該硬質基台上面から斜め上方へ向かって設けられた柄とを具備する柄付きモップであって、該硬質基台上面の長手方向中央部を跨ぐ門形、又はドーム形の柄の取り付け部材を有し、該硬質基台上面と該柄の取り付け部材から形成、足先が挿入可能な開口を有する足踏みスペースと、該硬質基台上面の一部の足ふみ面と、該柄の取り付け部材の上面中央から斜め上方向かって設けた柄とを有する事を特徴とする吸水用柄付きモップ。
【発明の詳細な説明】
【技術分野】
【０００１】
本発明は、平板状の柔軟性発泡素材、又は柔軟性発泡素材を含む複合材による吸水体で風呂場の壁面、天井、床の洗浄、又は洗浄後の水分除去に使用する柄付きモップに関するものであり、さらに詳しくは上記吸水体を脱水するための簡便な部材を有する柄付きモップに関するものである。
【背景技術】
【０００２】
風呂場は湿気がこもりやすくカビが発生しやすい。このため壁面、天井、床の水滴等の水分除去はこまめに行う必要があるのは言うまでもない。
これらの水分除去は、一般に雑巾、又は吸水性が優れたポリビニルアルコール（ＰＶＡ）製の矩形のスポンジを手に持ち行うことが多い。特許文献２は矩形のスポンジの一部に切り込みを入れ、持ちやすく弱い力で確実に保持して使用できるようにしたものである。矩形スポンジを手に持ち作業する場合の問題点は、天井や壁の上部に手が届かない他、床はかがんだ不自然な姿勢での作業となることである。
【０００３】
特許文献１は、圧搾機構付きスポンジモップであり、吸水素材からなる細長い棒状或いは板状の吸水体を中央部で２つに折り曲げ圧搾、脱水する機構となっている。この方法の問題点は、片方の手で柄を把持し、もう一方の手で操作レバーを上下しなければならない．すなわち使用が両手健常者に限られること、圧搾機構が強度的に堅固である必要から軽量化、小型化が難しく風呂場のような狭い空間では使いにくいこと、さらに部品点数がおおいことにある。
一方、スポンジ等の洗浄材を取り付けた硬質基台と硬質基台から斜め上方のびる柄とからなる簡単な構造の柄付きモップは風呂洗浄用として広く普及している。前記スポンジを特に吸水性の良い吸水体に替え水分除去モップとして使うとき一番の問題点は吸水体の脱水にある。
【先行技術文献】
【特許文献】
【０００４】
【特許文献１】特開２００７−７０６９号広報
【特許文献２】特開２００７−７２６８号広報
【発明の開示】
【発明が解決しようとする課題】
【０００５】
主として風呂場の壁面、天井、床の水分除去に使用する軽量で使い勝手の良い柄付きモップを開発する。更に詳しくは最も重要である平板状の柔軟性発泡素材、又は柔軟性発泡素材を含む複合材による吸水体の脱水を簡単な構造で解決し提供することを課題とする。
【課題を解決するための手段】
【０００６】
第１の発明は、柔軟性発泡素材、又は柔軟性発泡素材を含む複合材、又は綿布、又は不織布の吸水素材からなる吸水体と、前記吸水体を下面に取り付ける硬質基台と、前記硬質基台上面から斜め上方へ向かって設けられた柄とを具備する柄付きモップにおいて、前記硬質基台に前記硬質基台の上方に前記硬質基台と平行な平面を足踏み面とする脱水用足踏み台を設け、前記脱水用足踏み台の位置が足踏み面中央から下におろした垂線が前記硬質基台の概中央を通り、かつ前記足踏み台が柄と干渉しない構造を有することを特徴とする柄付きモップである。本発明における中央とは、真ん中である中央部又はその近傍を意味する。
普及している風呂洗浄用の柄付きモップの場合、柄は硬質基台の中央付近から斜め上方に伸びている。洗浄材を吸水性が良い吸水素材による吸水体に付け替え、吸水用の柄付きモップとして使用し、足踏み脱水を試みる時、柄を挟んで左右半分ずつ２回に分けて行う必要がある。又この場合中央部は足踏みの圧力が不足し両側に比べて脱水が不十分となる。
これに対して本案では硬質基台の中央部に圧力をかけられる脱水用足踏み台を設けたため、一回の足踏みで硬質基台を介して平板状の吸水体にほぼ均等に圧力をかけ脱水することができる。
【０００７】
第２の発明は、請求項１に記載した柄付きモップにおいて、前記硬質基台上面に概中央部を跨ぐ柄の取り付け部材を設け、前記硬質基台と前記柄の取り付け部材との間の足踏みスペースに足先を挿入し、前記硬質基台の中央を足踏み加圧することを可能とした事を特徴とする柄付きモップである。
一般に柄は硬質基台上の平面中心から該平面と約６０度の角度で上方に向かって設けられている。これは壁や床面を清掃する時最も力が入りやすく、かつ清掃時の硬質基台と柄のつなぎ部位への負担が小さくなるためである。第１の発明、第２の発明ともこの基本形を保ったまま柄３に異常な力をかけることなく効率的に吸水体を圧縮し、脱水を行うことができる。尚、柄３は、硬質基台平面の長手方向の軸と直交しかつ硬質基台中央部を約６０度の角度で指すように取り付けることが望ましい。
【０００８】
第３の発明は、請求項１に記載する硬質基台２の一部に水が通過できる複数の貫通孔が施されていることを特徴とする請求項１、又は請求項２に記載した柄付きモップである。
足踏み脱水を行うと吸収体に含まれていた水は、吸水体の側面と吸水体の下面と床面との隙間を通して排出される。床面の凹凸にもよるが床面が平板状だと隙間は小さく排出に時間がかかる。本案による硬質基台の一部に設けられた複数の貫通孔は、排水時間を短縮するためのものであり、上記吸水体の側面と下面からの排水に加えて硬質基台の上面からも排水され、排水時間が大幅に短縮できる。
【０００９】
又、上記複数の貫通孔に簡易逆止弁を設け、硬質基台の上面から吸収体側への水の流れを規制することにより、硬質基台の上面からの排水が吸水体へ戻ることを軽減することができる。尚、簡易逆止弁は薄いゴム或いは軟質プラスチック板から作られた上に凸のキャップ状で凸部上部に切り込みを入れてある。吸水体が加圧されると上記切り込みが開き、水が排出される。又、加圧が解除されると切り込みが閉じ排水の逆流を阻止できる。
【発明の効果】
【００１０】
普及している風呂洗浄用の柄付きモップの場合、柄は硬質基台の中央付近から斜め上方に伸びている。洗浄材を吸水性が良い吸水素材による吸水体に付け替え、吸水用の柄付きモップとして使用し、足踏み脱水を試みる時、柄を挟んで左右半分ずつ２回に分けて行う必要がある。又この場合中央部は足踏みの圧力が不足し両側に比べて脱水が不十分となる。
これに対して第一の発明によれば、硬質基台の上方中央付近に脱水用足踏み台を設け、一回の足踏みで硬質基台を介して吸水体にほぼ均等に圧力をかけ脱水することができる。
【００１１】
第２の発明では、足踏みスペースに足先を入れ第１の発明と同様に一回の足踏みで硬質基台を介して吸水体にほぼ均等に圧力をかけ、脱水することができる。又、足踏み面が硬質基台上面となるため、柄を誤って踏むことが皆無となる他、脱水用足踏み面が低くなるため、足踏み時の転倒等を防止できる。
【００１２】
第３の発明は、足踏み脱水を行うと吸収体に含まれていた水は、吸水体の側面と吸水体の下面と床面との隙間を通して排水される。床面が平板状だと吸水体下面と床面との隙間は極めて小さくなり、吸水体側面からの排出が主となり、排水に時間がかかる。本案による硬質基台の一部の貫通孔は、排水時間を短縮するためのものであり、上記吸水体の側面と下面からの排水に加えて硬質基台の上面からも排水されるため排水時間が大幅に短縮できる。又、脱水時、床面に水が通過できる多孔構造を有するマットを敷きこの上で足踏み加圧を行うと下面からより効率的に排水される。
【発明を実施するための形態】
【００１３】
本発明の実施例１における平面図を図１に、正面図を図２に、側面図を図３に示す。
実施例１の柄付きモップは、図１に示すように平板状の吸水体１と、硬質基台２と、柄３と、脱水用足踏み台４とからなる。又足踏み面５には滑り止め加工が、硬質基台２には複数の貫通孔６が設けられている。
吸収体１は水の吸水力が強い、微細な空孔を有するスポンジ、特にＰＶＡ（ポリビニルアルコール）素材のスポンジが望ましい。ただしこの素材にこだわるものではなく、例えば綿布、又はマイクロファイバー、又は不織布、又はスポンジと布状掃除素材との複合材などでもよい。吸水体は厚さ１０−５０ｍｍ程度の平板状であり、硬質基台２の下面に図２に示す面ファスナー７にて取り付けられている。もちろん硬質基台２に直接接着してもよいが、面ファスナー７や篏合による脱着自在な取り付け方法がより好ましい。なぜなら、複数個の吸水体１を定期的に交互に乾燥させることにより衛生的に使用することができる。又、吸水体１のみを交換部材とすることもできる。
【００１４】
実施例２の正面図を図４に、側面図を図５に示す。
実施例２の柄付きモップは、図４に示すように平板状の吸水体１と、硬質基台２と、柄３と、柄の取り付け部材９とからなる。柄の取り付け部材９は、例えば門型形状で硬質基台２の中央部を跨ぐ形で硬質基台２の上面に接合、又は硬質基台２と一体化されている。柄の取り付け部材９と硬質基台２の上面からドーム状の足踏みスペース１０が形成される。この足踏みスペース１０は足先が挿入できる開口を有し、硬質基台２の概中央部を足踏み加圧できる。
尚、本案において、図５に示すように柄３と柄の取り付け部材９とは掃除しやすい適度の角度で接合されているが、前記両者の中間に柄の取り付け角度が自在に変えられる図示しない角度保持機構付き接合部材を設けもよい。この場合、足踏み加圧以外に柄３を垂直に保持し上から手で押すことでも脱水が可能となる。
又、本案における吸水体１は、代表的には平板状の柔軟性発泡素材、又は柔軟性発泡素材を含む複合材であるが他に綿等素材による雑巾でも良い。更に本発明による、足踏み脱水は、吸水体１以外に雑巾、又はモップ糸等掃除部材を先端に取り付けた掃除用モップにおいて、掃除部材の洗浄時の脱水、又は水分調整にも極めて有効である。
更に脱水用足踏み台４の足踏み面５、又は硬質基台２の足踏み面５には足形等で加圧点を図示するとモップの破損を防止できるだけでなく被脱水物である吸水体に均等に圧力上で極めて有効である。
【産業上の利用可能性】
【００１５】
主として風呂場の壁面、天井、床の水滴、水分を除去する柄付きモップを提供できる。特に最も重要である平板状の柔軟性発泡素材、又は柔軟性発泡素材を含む複合材による吸水体１の脱水を簡単な構造で解決できるので極めて使い勝手が良い。
【図面の簡単な説明】
【００１６】
【図１】実施例1における平面図
【図２】実施例１における正面図
【図３】実施例１における側面図
【図４】実施例２における正面図
【図５】実施例２における側面図
【符号の説明】
【００１７】
１・・・吸水体
２・・・硬質基台
３・・・柄
４・・・脱水用足踏み台
５・・・足踏み面
６・・・複数の貫通孔
７・・・面ファスナー
９・・・柄の取り付け部材
１０・・・足踏みスペース
【要約】
【課題】主として風呂場の壁面、天井、床の水滴、水分除去に使用する柄付きモップを開発する。更に詳しくは最も重要である吸水体の脱水をできるだけ簡単な構造で解決する。
【解決手段】柄付きモップにおいて、平板状の柔軟性発泡素材、又は柔軟性発泡素材を含む複合材による吸水体と、前記吸水体を下面に取り付ける硬質基台と、前記硬質基台上面から斜め上方向へ設けられた柄と、前記硬質基台上面の概中央に設けられた脱水用足踏み台とからなる事を特徴とする柄付きモップ。
【選択図】図２【図１】
0006770285.tif 000002
【図２】
0006770285.tif 000003
【図３】
0006770285.tif 000004
【図４】
0006770285.tif 000005
【図５】
0006770285.tif 000006